(57)【要約】      （修正有）【課題】蓋と容器本体との境界面（切断面）を直線、曲線あるいはそれらを組み合わせた複雑な模様線とすることで、包装容器にデザイン性および識別性を付与した包装箱を提供する。【解決手段】容器本体に蓋部が嵌合される紙製の印籠型包装容器において、身２と止め箱３とからなる容器本体とこの容器本体に嵌着される蓋部１とからなり、身２と蓋部１とは同一の断面形状を有しており、身２と蓋部１との境界部の少なくとも１辺が単純な直線ではなく、複数の直線、曲線、あるいはそれらが組み合わされた模様線に形成されていることを特徴とする。【選択図】図２
0003192677.tif 000002
【実用新案登録請求の範囲】
【請求項１】
容器本体に蓋部が嵌合される紙製の印籠型包装容器において、身と止め箱とからなる容器本体とこの容器本体に嵌着される蓋部とからなり、前記身と前記蓋部とは同一の断面形状を有しており、前記身と前記蓋部との境界部の少なくとも１辺が単純な直線ではなく、複数の直線、曲線、あるいはそれらが組み合わされた模様線に形成されていることを特徴とする包装箱。
【請求項２】
前記身と前記蓋部とが片開きできるよう１辺においてヒンジ結合されていることを特徴とする請求項１記載の包装箱。
【請求項３】
前記身が前記蓋部とから分離されて形成されており、前記容器本体と蓋部とが完全分離型であることを特徴とする請求項１記載の包装箱。
【考案の詳細な説明】
【技術分野】
【０００１】  本考案は、止め箱と身とからなる容器本体に蓋が嵌着される、いわゆる印籠型包装箱に関する。
【背景技術】
【０００２】  従来から、四角形の壁部からなる身とその内側に密接して固着された止め箱とからなる容器本体と、この容器本体に嵌着される蓋とからなるいわゆる印籠型包装箱は種々提案され、製造されてきた。【０００３】  例えば特許文献１では、上方が開放されて底を有する下箱に外嵌される、上板を有し下方が開放された上箱の表面に化粧紙を固着し、上箱を分断して形成される、蓋と下箱の外側壁に嵌着される筒体とを、筒体を下箱の高さより小さい高さで上箱を分断したのち、筒体の上縁が下箱の上縁より低い位置になるよう、筒体を下箱に嵌着固定して身を形成することを特徴とする印籠型の紙箱の製造方法が提案されている。【０００４】  また、特許文献２においては、紙を製函して形成される６面体形状の紙容器において、容器本体と、該容器本体の上端開口面の背面側縁部にヒンジ接合されて当該上端開口面を開閉する蓋部材とからなり、前記容器本体の正面板には前記上端開口面から延設された凹状切り欠き部が形成されており、前記蓋部材は、前記上端開口面を覆う上面蓋部と、前記凹状切り欠き部を覆う大きさの正面蓋部と、前記上面蓋部の側縁部と前記正面蓋部の側縁部との間に介在して前記上面蓋部に対して前記正面蓋部を垂直に接合させる一対の側面蓋部とからなる紙容器が開示されている。
【特許文献】
【０００５】
【特許文献１】特開平９−１３２３４号公報
【特許文献２】特開２００１−３３５０２０号公報
【考案の開示】
【考案が解決しようとする課題】
【０００６】  上記従来技術は、特許文献１は蓋と容器本体が分離した分離型容器、特許文献２は蓋の一部がヒンジ結合により容器本体と接続されている片開き型容器についてのものであるが、いずれも容器本体と蓋との境界部は単純な直線で構成されており、独自性や識別性はない。これは、箱を製造する際の従来の方法では、複雑な切断面を形成することが不可能であったためである。【０００７】  本考案は上述の課題に鑑みてなされたものであり、蓋と容器本体との境界面（切断面）を直線、曲線あるいはそれらを組み合わせた複雑な模様線とすることで、包装容器にデザイン性および識別性を付与することを目的とする。
【課題を解決するための手段】
【０００８】  上記課題を解決するため本考案による包装箱は、容器本体に蓋部が嵌合される紙製の印籠型包装容器において、身と止め箱とからなる容器本体とこの容器本体に嵌着される蓋部とからなり、前記身と前記蓋部とは同一の断面形状を有しており、前記身と前記蓋部との境界部の少なくとも１辺が単純な直線ではなく、複数の直線、曲線、あるいはそれらが組み合わされた模様線に形成されていることを特徴とする。【０００９】  この包装箱は、前記身と前記蓋部とが片開きできるよう１辺においてヒンジ結合されていてもよいし、また、前記身が前記蓋部とから分離されて形成されており、前記容器本体と蓋部とが完全分離型であってもよい。
【考案の効果】
【００１０】  本考案による包装箱では、蓋と容器本体との境界面（切断面）を直線、曲線あるいはそれらを組み合わせた複雑な模様線とすることで、包装容器にデザイン性および識別性を付与することができ、中に納める商品の付加価値を高めることが可能となる。
【考案を実施するための最良の形態】
【実施例】
【００１１】  以下、図面に基づいて本考案の詳細について説明する。図１は本考案による包装箱の一実施例の正面図を示す。身２の内側にこの身２より高さの高い止め箱３が密着され、糊等により固着されている。蓋部１は、断面形状が身２と同じになるよう形成されているため、止め箱３の外側に嵌着できる。蓋部１の正面下側端部と身２の正面上側端部には、同じ形状の模様線１１、１２が形成されており、この包装箱にデザイン性を付与している。この実施例の場合、蓋部１と身２の合計高さより止め箱３の高さが高いため、容器本体２に蓋部１を嵌着した際に、蓋部１と身２が密着することなく隙間が生ずる。これも、デザイン性を高めるための構成である。【００１２】  止め箱３の高さを、蓋部１と身２の合計高さに等しいがそれより低くすると、蓋部１と身２とを密着させることができ、デザインによってこれらを使い分けることが可能である。【００１３】  図２には、図１に示した実施例の分離した斜視図を示す。この実施例では、蓋部１と身２の境界について正面側のみ模様線に構成しているが、２面でも、３面でも４面でも模様線とすることができる。【００１４】  図３には、本考案による包装箱の別の実施例を示した。この実施例では、蓋部１と身２の正面側境界を折れ線としている。このように、蓋部１と身２の正面側境界については直線でも曲線でも、また直線と曲線を複合した例えば富士山のような形状でも可能である。【００１５】  それでは、本考案による包装箱の製造過程について説明する。止め箱３は、上面が開放した直方体を紙により組み立てる。蓋部１と身２は最初一体として、下面が開放した直方体で止め箱３の外側に密着できる寸法のものをやはり紙で組み立てる。この蓋部１と身２の一体部材を市販の４面ＢＯＸダイカッターにより、蓋部１と身２とに切断することにより蓋部１と身２とが分離される。このダイカッターは、木製または金属製の切断ステージ上に上記部材を被せる形で設置し、側面に配置された切断刃がステージに向かって前進押圧することにより切断する。この切断刃は木製等の刃物台に取り付けられているため、切断刃の形状を変更することにより、自在の形状に切断することが可能である。例えば、図１に示した実施例の場合、波形の切断刃を用意すればこの形状を容易に作製することができる。また、このダイカッターでは、切断刃を最大４面まで配置することができるため、３面で使用すれば片開き型包装箱、４面で使用すれば分離型包装箱を作製することができる。【００１６】  蓋部１と身２とを分離した後、身２を止め箱３内に収納し、糊等により固着すれば完成する。【００１７】  以上述べたように、本考案による包装箱は蓋と容器本体との境界面（切断面）の１面乃至４面を直線、曲線あるいはそれらを組み合わせた複雑な模様線とすることが可能である。その模様としては、上述の実施例に限らず、直線や曲線を組み合わせた独自の形状でも可能である。また、本考案による包装箱は、片開き型包装箱と分離型包装箱の両方に適用することが可能である。
【産業上の利用可能性】
【００１８】  本考案による包装箱では、蓋と容器本体との境界面（切断面）を直線、曲線あるいはそれらを組み合わせた複雑な模様線とすることで、包装容器にデザイン性および識別性を付与することができ、中に納める商品の付加価値を高めることが可能であるため、多種多様な商品の包装箱として利用できる。
【図面の簡単な説明】
【００１９】
【図１】本考案による包装箱の一実施例を示す正面図である。
【図２】図１に示した実施例の開放した状態を示す斜視図である。
【図３】本考案による包装箱の別の実施例を示す正面図である。
【符号の説明】
【００２０】１            蓋部
２            身
３            止め箱
１１          模様線
１２          模様線
【図１】
0003192677.tif 000003
【図２】
0003192677.tif 000004
【図３】
0003192677.tif 000005